(57)【要約】      （修正有）【課題】色々な形状（高さ、直径及び種類）のグラスをトレイに保持できると共に箸等をトレイに安定的に乗せることができる移動飲食器を提供する。【解決手段】本発明の移動飲食器1は、料理を乗せるトレイ10の一部にグラス保持部50を備える移動飲食器において、前記トレイの重心位置から下方にのびる持ち手40と、持ち手の下端に設けられる架台60とを備えており、前記グラス保持部が前記持ち手の内部に形成される有底形状であり、当該底の高さを調節するための高さ調節機構70を備えることを特徴とする。高さ調節機構によってグラスの形状（高さ、直径及び種類）を問わずに使用できる。また、持ち手の位置が移動飲食器の重心位置と一致するため、飲食者は移動飲食器を水平状態を維持して安定的に持つことができる。【選択図】図１
2016010683.tif 000002
【特許請求の範囲】
【請求項１】
料理を乗せるトレイの一部にグラス保持部を備える移動飲食器において、
前記トレイの重心位置から下方にのびる持ち手と、当該持ち手の下端に設けられる架台とを備えており、
前記グラス保持部が前記持ち手の内部に形成される有底形状であり、当該底の高さを調節するための高さ調節機構を備えることを特徴とする移動飲食器。
【請求項２】
前記高さ調節機構が、小径の円筒状の空間から成る小径部と大径の円筒状の空間から成る大径部を少なくとも備えることを特徴とする請求項1に記載の移動飲食器。
【請求項３】
前記高さ調節機構が、1枚以上のチップを前記底に適宜積み重ねるものであることを特徴とする請求項1に記載の移動飲食器。
【請求項４】
前記トレイの一部に箸及びフォークを格納するための箸・フォーク用凹部を備えることを特徴とする請求項1〜3のいずれか一項に記載の移動飲食器。
【請求項５】
前記トレイの一部に調味料を入れるための調味料用凹部を備えることを特徴とする請求項1〜4のいずれか一項に記載の移動飲食器。
【請求項６】
前記持ち手の表面に滑り止め加工が施されていることを特徴とする請求項1〜5のいずれか一項に記載の移動飲食器。
【発明の詳細な説明】
【技術分野】
【０００１】
本発明は、飲食者が起立した状態でグラスと食べ物を片手で安定的に保持し、また容易に移動できる飲食器に関し、特にグラスの形状（高さ、直径及び種類）を問わずに使用できる移動飲食器に関する。
【背景技術】
【０００２】
立食パーティやバーベキュー等、起立した状態で食事する際には、食べ物を載せたトレイを一方の手に持ちながら他方の手で箸やフォークを使用する。また、飲む際にはトレイに箸等を載せた状態で空いた手でテーブルに置いたグラスを持つか、或いはトレイ及び箸等をテーブルに置いた後、グラスを持つことになる。
このように常にトレイ又はグラスの一方をテーブルに置きながら飲食するため、他のテーブルに移動する際にトレイとグラスを両手に持って移動するのが煩わしいという問題や、一旦テーブルを離れた後、再び元のテーブルに戻って来た際に自分のトレイやグラスを他人のトレイやグラスと判別し辛いという問題がある。
そこで、グラスを保持するための穴を備えたトレイが種々開発されている（特許文献1〜5参照）。
これらトレイによればグラスを一体的に保持できるため、起立した状態で片手でトレイとグラスを持つことができるという利点や、自分のトレイやグラスを他人のトレイやグラスと判別できるという利点がある。
【先行技術文献】
【特許文献】
【０００３】
【特許文献１】特開平７−１５５２４８号公報
【特許文献２】実開平６−５５４７６号公報
【特許文献３】特開平１１−４２１５５号公報
【特許文献４】特開２００２−２５３４１３号公報
【特許文献５】特開平１１−１５５７１６号公報
【発明の概要】
【発明が解決しようとする課題】
【０００４】
ところが、上記各特許文献に開示された従来技術では以下のような問題があった。
すなわち、トレイに設けた穴に安定的に保持できるグラスの形状（高さ、直径及び種類）が制限されるという問題である。
例えば有底の穴を備えるトレイ（上記特許文献1参照）では、トレイ表面から穴の底までの深さが一定であるために背の高いグラスを使用すると倒れる危険性や、背の低いグラスを使用するとグラスを穴から取り出せないという問題がある。
また、底なしの穴を備えるトレイ（上記特許文献2〜5参照）では、グラスの直径が穴の直径よりも大きい場合には穴に入れることができず、小さい場合にはグラスが穴から抜け落ちてしまうという問題がある。
また、飲食者が起立した状態で使用するトレイは水平状態を維持するのが困難なため、トレイが傾いた際にトレイに載せた箸等が滑り落ちてしまう可能性がある。
【０００５】
本発明はこのような問題に鑑み、色々な形状（高さ、直径及び種類）のグラスをトレイに保持できると共に箸等をトレイに安定的に乗せることができる移動飲食器を提供することを目的とする。
【課題を解決するための手段】
【０００６】
本発明の移動飲食器は、料理を乗せるトレイの一部にグラス保持部を備える移動飲食器において、前記トレイの重心位置から下方にのびる持ち手と、当該持ち手の下端に設けられる架台とを備えており、前記グラス保持部が前記持ち手の内部に形成される有底形状であり、当該底の高さを調節するための高さ調節機構を備えることを特徴とする。
また、前記高さ調節機構が、小径の円筒状の空間から成る小径部と大径の円筒状の空間から成る大径部を少なくとも備えることを特徴とする。
また、前記高さ調節機構が、1枚以上のチップを前記底に適宜積み重ねるものであることを特徴とする。
また、前記トレイの一部に箸及びフォークを格納するための箸・フォーク用凹部を備えることを特徴とする。
また、前記トレイの一部に調味料を入れるための調味料用凹部を備えることを特徴とする。
また、前記持ち手の表面に滑り止め加工が施されていることを特徴とする。
【発明の効果】
【０００７】
本発明の移動飲食器によれば、グラス保持部の底の高さを調節する高さ調節機構を備えるので、グラスの形状（高さ、直径及び種類）を問わずに使用できる。
また、高さ調節機構を小径部と大径部で構成したり、あるいはチップで構成すれば、シンプルな構造になるので製造コストを抑制できたり、高さ調節が容易になるという利点がある。
また、トレイの重心位置から下方にのびる持ち手の内部にグラス保持部を設けることで、重量物となるグラスが移動飲食器の重心に位置することになる。つまり、持ち手の位置が移動飲食器の重心位置と一致するため、飲食者は水平状態を維持して安定的に移動飲食器を持つことができる。
また、架台を備えるのでグラスをグラス保持部内に収容した状態の移動飲食器をテーブル等に安定して置くことができる。
また、箸・フォーク用凹部を使用することで箸及びフォークがトレイから滑り落ちることを防止できる。
また、調味料用凹部を使用することで複数の調味料がトレイ内で混ざり合ったり、トレイからこぼれ落ちることを防止できる。
また、持ち手に滑り止め加工を施すことで、飲食者は移動飲食器をより安定して持つことができる。
【図面の簡単な説明】
【０００８】
【図１】第1の実施の形態の移動飲食器を示す左右方向に沿った縦断面図（a）及び平面図（b）
【図２】箸・フォーク用凹部の構造を示す平面図（a）、箸及びフォークを格納した状態を示す平面図（b）、箸を格納した状態を示す左右方向に沿った縦断面図（c）、フォークを格納した状態を示す左右方向に沿った縦断面図（d）及び箸・フォーク用凹部の構造を示す前後方向に沿った縦断面図(e)
【図３】コップを保持した状態を示す左右方向に沿った縦断面図（a）及びワイングラスを保持した状態を示す左右方向に沿った縦断面図（b）
【図４】ワイングラスとコップの高さの差を示す図（a）及び大・中・小のチップを重ねた状態を示す図（b）
【図５】第2の実施の形態の移動飲食器を示す左右方向に沿った縦断面図（a）及び（b）、架台の変形例を示す図（c）
【図６】トレイの変形例を示す平面図（a）〜（d）
【図７】第3の実施の形態の移動飲食器を示す左右方向に沿った縦断面図
【図８】各種コップ類を挿入した状態を示す縦断面図(a)〜(d)
【発明を実施するための形態】
【０００９】
［第1の実施の形態］
本発明の移動飲食器の第1の実施の形態について説明する。
図1（a）及び（b）に示すように、本実施の形態の移動飲食器1はトレイ10、箸・フォーク用凹部20、調味料用凹部30、持ち手40、グラス保持部50及び架台60から概略構成される。
トレイ10は料理を乗せるために用いるほぼ円形の部材である。
トレイ10の重心位置（円の中心位置）には開口11を設けている。また、トレイ10の中心位置からほぼ放射状に凸状の仕切壁12を設けており、トレイ10の外周縁部及び開口端部にも凸状の仕切壁12を設けている。このようにトレイ10の表面を仕切壁12を用いて複数の領域に分割することで一つの領域においた料理及びそのソース等が他の領域に侵入しないようにしている。なお、放射状の仕切壁12を設ける替わりに、トレイ10の表面に放射状の凹部を設けて当該凹部に仕切壁12を嵌め込むことにしてもよい。
【００１０】
図2（a）〜（e）に示すように、箸・フォーク用凹部20は箸2及びフォーク3を格納するためにトレイ10の一部に設ける凹部である。具体的には、左右方向にのびる凹部を前後2列に仕切ることで一方の凹部21を箸専用、他方の凹部22をフォーク専用としている。箸専用凹部21の左右上端には前後方向にのびる凸部21aを形成しており、この凸部21aの前後方向のほぼ中央に切り欠き部21bを形成している。飲食者は箸2の先端を箸専用凹部21の隅に接触させた状態で箸2の上部を切り欠き部21bに嵌め込むことで、トレイ10が傾いた場合でも箸2がトレイ10から滑り落ちることを防止している。同様にフォーク専用凹部22の左右上端には前後方向にのびる凸部22aを形成しており、この凸部22aの前後方向のほぼ中央に切り欠き部22bを形成している。飲食者はフォーク3の先端をフォーク専用凹部22の隅に接触させた状態でフォーク3の柄を切り欠き部22bに嵌め込むことで、トレイ10が傾いた場合でもフォーク3がトレイ10から滑り落ちることを防止している。
なお、切り欠き部21b、22bを設けずに、凸部21a、22aの表面に滑り止め加工を施すことによって箸2及びフォーク3の滑り落ちを防止することにしてもよい。また、凸部21a、22aを設けずに単に凹部21、22内に箸2及びフォーク3を格納するだけの構造にしてもよい。
また、箸・フォーク用凹部20にスプーン、ナイフ、ストローその他飲食時に使用する器具を入れることにしてもよい。
調味料用凹部30は各種調味料（醤油、塩、ワサビ、マヨネーズ、辛子等）を入れるための凹部であり、左右方向に連続して複数（本実施の形態では3つ）形成している。
【００１１】
持ち手40はトレイ10の重心位置から下方にのびるほぼ円柱状の部材であり、飲食者はこの持ち手40を握ることで移動飲食器1を安定した状態で持つことができる。持ち手40の表面には滑り止め加工として掌及び手の指の形状に対応した凹凸部を設けたり、或いはゴム等の樹脂を巻き付けるのが好ましいが、滑り止め加工が無くてもよい。
また、持ち手40の上端の外周にねじ溝41が切ってあり、このねじ溝41とトレイ10の開口の周縁から下方に突出した部分に設けたねじ溝13とを螺合させることで持ち手40とトレイ10とを接合する構造になっている。
【００１２】
図3(a)及び（b）に示すように、グラス保持部50は持ち手40の内部に形成される有底円筒形状であり、底の高さを調節するための高さ調節機構70を備える。また、グラス保持部50の上端はトレイ10の重心位置に設けた上記開口11に繋がっており、下端は架台60に接合されている。
高さ調節機構70はグラス保持部50の底の高さを調節するための機構である。具体的には、高さ調節機構70は1枚以上（本実施の形態では3枚）の円盤状のチップ71〜73から構成されている。各チップ71〜73の直径はグラス保持部50の内径よりも僅かに小さくなっており、使用するグラスの形状に応じて各チップ71〜73を適当な枚数だけグラス保持部50の底に積み重ねることで、グラス保持部50の実際の底の位置を嵩上げし、調節する仕組みになっている。
各チップ71〜73の厚みは任意であるが、例えば図4(a)及び（b）に示すように、標準的な形状のワイングラス4とコップ5を想定した場合に、ワイングラス4及びコップ5の上部をトレイ10の表面から適当な長さLだけ露出させることにした場合のワイングラス4とコップ5の高さの差Δhを予め算出しておく。そして、大サイズのチップ71の厚みを3/6×Δh、中サイズのチップ72の厚みを2/6×Δh、小サイズのチップ73の厚みを1/6×Δhとすればよい。
【００１３】
こうすることで例えば大・中・小のチップ71〜73を一枚ずつ使用するとグラス保持部50の底の位置を（3/6＋2/6＋1/6）×Δh＝Δhだけ嵩上げすることができる。また、実際に使用するコップの形状（高さ）が標準的なコップよりも大きい場合には例えば中サイズ72と小サイズのチップ73を積み重ねる等により適宜調節すればよい。ワイングラス4を使用する場合にはチップを用いずに、グラス保持部50の本来の底にワイングラス4を置くことになる。
また、大・中・小の3枚のチップ71〜73を一組として、一つの移動飲食器1に対して二組以上のチップ71〜73を割り当てることにすれば、高さ調節の範囲をより広げることができる。
また、各チップ71〜73のサイズを視覚的に容易に認識できるように、各チップ71〜73に異なる色（例えば、大サイズのチップ71は赤色、中サイズのチップ72は青色、小サイズのチップ73は黄色）を施したり、チップ71〜73の表面に「大」「中」「小」の各文字を表してもよい
高さ調節機構70による高さの調節は、例えば立食パーティーの場合にはパーティーの開始前に会場のスタッフがグラスの形状に基づいてチップ71〜73の組み合わせを予め算出しておき、飲食者に通知しておくことにすればよい。そして、パーティー中に飲食者自身がグラスの形状に応じてチップ71〜73の組み合わせを適宜変更して高さ調節を行えばよい。
なお、上述の通り高さ調節機構70を構成するチップは1枚以上で構成されていればよく、例えば厚みΔhの1枚のチップのみで構成したり、或いは厚みが1/6×Δhのチップ6枚で構成してもよい。
【００１４】
架台60はグラス保持部50の下端に接合されることで移動飲食器1をテーブル等に安定して載置できるようにするための部材である。架台60の形状は特に限定されるものではないが、持ち手40の横断面積よりも大きい横断面積になる形状にするのが好ましい。
また、持ち手40の下端の外周にねじ溝42が切ってあり、このねじ溝42と架台60の上面から上方に突出した円形部分に設けたねじ溝61とを螺合させることで持ち手40と架台60とを接合する構造になっている。
本実施の形態では架台60は中空の円盤状に形成されており、その側面に開閉自在の蓋62を有する（図1及び図3参照）。そして、架台60の内部にチップ71〜73を格納しておき、蓋62を介してチップ71〜73を出し入れすることにすれば、チップ71〜73の紛失を防止できるし、また、飲食者は使用するグラスの形状に応じてチップ71〜73を迅速に架台60内から取り出し、高さを調節することができる。蓋は架台60の上面や下面に設けてもよい。
なお、移動飲食器1の材質は特に限定されず、樹脂製、金属製、木製などであってよい。更に例えば樹脂製の場合には表面にキャラクターの絵柄をプリントしたり、木製の場合には表面に漆や金箔等による装飾を施すなど、適宜装飾可能である。
【００１５】
［第2の実施の形態］
次に、本発明の移動飲食器の第2の実施の形態について説明するが、上記第1の実施の形態と同一の構成となる箇所については同一の符号を付してその説明を省略する。
図5（a）及び（b）に示すように、本実施の形態の移動飲食器6は高さ調節機構80として円盤状のプレート81、ねじ切り軸82及びナット83を備える点に特徴を有する。
円盤状のプレート81はグラスを乗せるための部材であり、ねじ切り軸82の上端に固定されている。ねじ切り軸82はグラス保持部50の底（架台60の上面）に設けたねじ穴84に螺合している。そして、ねじ切り軸82に螺合するナット83及びねじ切り軸82を適宜回転させることによって円盤状のプレート81の上下位置を調節し、グラスの高さを調節する仕組みになっている。
本実施の形態の架台60ではその下面全体を削除することでナット83を手で回転させ易くしているが、これに限らず、例えば図5（c）に示すように下面を塞いだ状態で下面から上面に向かって縮径する開口63を設けてもよい。
また、図示は省略するが、ねじ切り軸82及びナット83の替わりに表面が滑らかな直棒及びこの直棒の側面に接触することで摩擦力により直棒の移動を規制するストッパーを用いて円盤状のプレート81の高さを調節する仕組みにしてもよい。
【００１６】
なお、上記各実施の形態ではトレイ10の形状を平面視ほぼ円形としたが、これ以外にも図6（a）〜（d）に示すように矩形、三角形、楕円、2つの円を左右に連続的に繋げたひょうたん形など適宜変更可能である。
また、トレイ10と持ち手40との接合及び持ち手40と架台60との接合をねじ溝同士の螺合によるものとしたが、特に限定されるものではなく、各々を接着剤で固着させる構造でもよい。これらトレイ10、持ち手40及び架台60をそれぞれ分割可能な構造にすれば洗浄が容易という利点や、可搬性及び収容性に優れるという利点があり、接着により分割できない構造にすればねじ溝を設ける手間が減り、製造コストを抑制できるという利点がある。
【００１７】
［第3の実施の形態］
次に、本発明の移動飲食器の第3の実施の形態について説明するが、上記各実施の形態と同一の構成となる箇所については同一の符号を付してその説明を省略する。
図7に示すように、本発明の移動飲食器100は高さ調節機構110としてグラス保持部120に少なくとも小径部111と大径部112を設ける点を特徴とする。
小径部111はグラス保持部120の下部に形成される小径の円筒状の空間である。
大径部112はグラス保持部120内において小径部111よりも上方に形成される大径の円筒状の空間である。
小径部111と大径部112に挟まれる円筒状の空間の半径は少なくとも小径部111の半径よりも大きくする必要がある。
更に、本実施の形態では小径部111と大径部112の間に中径部113を設けている。これら小径部111、中径部113及び大径部112の円の中心はグラス保持部120の円の中心と一致している。
図8(a)はグラス保持部120に一般的な高さで中径のコップ130を挿入した状態を示している。コップ130の底は中径部113の底に接触するので、コップ130の上部をトレイ10から露出させた状態で保持できる。
図8(b)はグラス保持部120に背が高い小径のコップ131を挿入した状態を示している。コップ131の底は小径部111の底に接触するので、コップ131の上部をトレイ10から露出させた状態で保持できる。
図8(c)はグラス保持部120に背が高い小径のワイングラス132を挿入した状態を示している。ワイングラス132の底は小径部111の底に接触するので、ワイングラス132の上部をトレイ10から露出させた状態で保持できる。
図8(d)はグラス保持部120に背が低い大径のコップ133を挿入した状態を示している。コップ133の底は大径部112の底に接触するので、コップ133の上部をトレイ10から露出させた状態で保持できる。
【産業上の利用可能性】
【００１８】
本発明は、色々な形状（高さ、直径及び種類）のグラスをトレイに保持できると共に箸等をトレイに安定的に乗せることができる移動飲食器に関するものであり、産業上の利用可能性を有する。
【符号の説明】
【００１９】
1 移動飲食器
2 箸
3 フォーク
6 移動飲食器
10 トレイ
11 開口
12 仕切壁
13 ねじ溝
20 箸・フォーク用凹部
21 箸専用凹部
21a 凸部
21b 切り欠き部
22a 凸部
22b 切り欠き部
30 調味料用凹部
40 持ち手
41 ねじ溝
42 ねじ溝
50 グラス保持部
60 架台
61 ねじ溝
62 蓋
63 開口
70 高さ調節機構
71 大サイズのチップ
72 中サイズのチップ
73 小サイズのチップ
80 高さ調節機構
81 プレート
82 ねじ切り軸
83 ナット
84 ねじ穴
100 移動飲食器
110 高さ調節機構
111 小径部
112 大径部
113 中径部
120 グラス保持部
130 一般的な高さで中径のコップ
131 背が高い小径のコップ
132 背が高い小径のワイングラス
133 背が低い大径のコップ
【図１】
2016010683.tif 000003
【図２】
2016010683.tif 000004
【図３】
2016010683.tif 000005
【図４】
2016010683.tif 000006
【図５】
2016010683.tif 000007
【図６】
2016010683.tif 000008
【図７】
2016010683.tif 000009
【図８】
2016010683.tif 000010